(57)【要約】【課題】印刷紙を巻き取るための巻取モータの作動開始時点と巻取ローラの回転開始時点とが異なることによる巻取モータと巻取ローラとの連結部位の破損を防止するための印刷機の印刷紙巻取装置を提供する。【解決手段】印刷機本体に回転可能に備えられ、印刷紙を巻き取る巻取ローラ３０と、巻取ローラ３０を一方向に回転させる巻取モータ４０と、巻取モータ４０の動力を巻取ローラ３０に伝達し、動力伝達時差による巻取モータ４０の負荷を緩和する緩衝動力伝達部１００と、を有する印刷紙巻取装置を構成する。【選択図】図６
2016079033.tif 000002
【特許請求の範囲】
【請求項１】
印刷機本体に回転可能に備えられ、印刷紙を巻き取る巻取ローラと、
前記巻取ローラを一方向に回転させるための動力を伝達する巻取モータと、
前記巻取モータからの動力を前記巻取ローラに伝達し、前記巻取モータの作動開始時点と前記巻取ローラの回転開始時点との差によって生じる前記巻取モータへの負荷を緩和する緩衝動力伝達部と、
を有することを特徴とする印刷紙巻取装置。
【請求項２】
前記緩衝動力伝達部は、
前記印刷機本体から延設され、前記巻取ローラの両端を回転可能に挿入して前記巻取ローラを挟持するブラケットと、
前記巻取ローラと前記巻取モータに連結され、前記巻取モータへの負荷を緩和して、前記巻取モータからの動力を前記巻取ローラに伝達する緩衝部材と、
を有することを特徴とする、請求項１に記載の印刷紙巻取装置。
【請求項３】
前記緩衝動力伝達部は、
前記巻取ローラの軸方向に沿い前記ブラケットの外に前記ブラケットから延設され、
前記巻取モータを外部に定設する、
筐体を、さらに有することを特徴とする、請求項２に記載の印刷紙巻取装置。
【請求項４】
前記緩衝部材は、
前記巻取モータの作動時に回転するように前記巻取モータに連結される第１の連結部材と、
前記巻取ローラの端部に固定連結される第２の連結部材と、
前記第１の連結部材と前記第２の連結部材に連結され、前記巻取モータの負荷を緩和する緩衝弾性部材と、
を有することを特徴とする、請求項２に記載の印刷紙巻取装置。
【請求項５】
前記緩衝弾性部材はトーションスプリングであることを特徴とする、請求項４に記載の印刷紙巻取装置。
【請求項６】
前記ブラケットは、前記巻取モータと前記緩衝部材とを保護するためのカバーを有することを特徴とする、請求項２から５のいずれか１項に記載の印刷紙巻取装置。
【発明の詳細な説明】
【技術分野】
【０００１】
本発明は、印刷機の印刷紙巻取装置に関し、より詳細には、印刷紙を巻き取るための巻取モータの作動開始時点と巻取ローラの回転開始時点とが異なることにより、巻取モータと巻取ローラとの連結部位が破損することを防止できる印刷機の印刷紙巻取装置に関する。
【背景技術】
【０００２】
一般に、印刷紙がベースに連続的に供給され、ヘッドによって所定の印刷作業が進められると、印刷紙は、供給される速度と同一の速度で排出される。このとき、印刷紙が連続的に排出されるので、外部の異物からの印刷紙の汚染または損傷を防止するためにベースから排出される印刷紙を巻取ローラ（排紙ローラ）に巻き取るようになっている。
【０００３】
巻取ローラは、巻取モータ（排紙モータ）の作動によって巻取モータの駆動ギアが回転し、この駆動ギアにより巻取ローラに軸設された連動ギアが回転することで、回転する。
【０００４】
このように、巻取モータのトルク（回転力）は、巻取ローラを回転させ、排出される印刷紙が巻取ローラに巻き取られるようにする。このとき、巻取モータは、制御部によって所定回転数または所定時間の間回転するように制御され、排出される印刷紙を強制的に引き出すことによる印刷作業の阻害を防止する。
【０００５】
上記技術内容は、本発明の理解を容易にするための背景技術であって、本発明の属する技術分野において広く知られる技術を意味するものではない。
【０００６】
巻取ローラは、特許文献１（登録日：２００４．１０．１５．発明の名称：デジタル印刷機の用紙移送構造）に示されている。
【先行技術文献】
【特許文献】
【０００７】
【特許文献１】韓国登録特許第１０―０４５４３０２号公報
【発明の概要】
【発明が解決しようとする課題】
【０００８】
既存の印刷機の巻取ローラは、巻取モータ等の他の部品より比較的長いため巻取モータに初期負荷が多くかかるようになり、巻取モータの作動開始時点と巻取ローラの回転開始時点とが異なることにより巻取モータと巻取ローラとの連結部位が破損し得るという問題を有する。
【０００９】
従って、これを改善する必要がある。
【００１０】
本発明は、上述した問題を解決するためになされたものであり、印刷紙を巻き取るための巻取モータの作動開始時点と巻取ローラの回転開始時点とが異なることによる巻取モータと巻取ローラとの連結部位の破損を防止するための印刷機の印刷紙巻取装置を提供することを目的とする。
【課題を解決するための手段】
【００１１】
本発明に係る印刷紙巻取装置は、印刷機本体に回転可能に備えられ、印刷紙を巻き取る巻取ローラと、前記巻取ローラを一方向に回転させるための動力を伝達する巻取モータと、前記巻取モータからの動力を前記巻取ローラに伝達し、前記巻取モータの作動開始時点と前記巻取ローラの回転開始時点との差（動力伝達時差）によって生じる、前記巻取モータへの負荷を緩和する緩衝動力伝達部と、を有する。
【００１２】
前記緩衝動力伝達部は、前記印刷機本体から延設され、前記巻取ローラの両端を回転可能に挿入して前記巻取ローラを挟持するブラケットと、前記巻取ローラと前記巻取モータに連結され、前記巻取モータへの負荷を緩和して、前記巻取モータからの動力を前記巻取ローラに伝達する緩衝部材と、を有する。
【００１３】
前記緩衝動力伝達部は、前記巻取ローラの軸方向に沿い前記ブラケットの外に前記ブラケットから延設され、前記巻取モータを外部に定設する、筐体を、さらに有する。
【００１４】
前記緩衝部材は、前記巻取モータの作動時に回転するように前記巻取モータに連結される第１の連結部材と、前記巻取ローラの端部に固定連結される第２の連結部材と、前記第１の連結部材と前記第２の連結部材に連結され、前記巻取モータの負荷を緩和する緩衝弾性部材と、を有する。
【００１５】
前記緩衝弾性部材として、トーションスプリングを用いてもよい。
【００１６】
前記ブラケットは、前記巻取モータと前記緩衝部材を保護するためのカバーを備えてもよい。
【発明の効果】
【００１７】
以上説明したように、本発明に係る印刷機の印刷紙巻取装置は、従来技術とは異なり、印刷紙を巻き取るための巻取モータの作動開始時点と巻取ローラの回転開始時点とが異なることによる巻取モータと巻取ローラとの連結部位の破損を、防止することができる。
【図面の簡単な説明】
【００１８】
【図１】本発明の一実施例に係る印刷紙巻取装置を示す印刷機の要部斜視図である。
【図２】本発明の一実施例に係る印刷紙巻取装置の要部露出のため、カバーを分離した内部斜視図である。
【図３】本発明の一実施例に係る印刷紙巻取装置の分解斜視図である。
【図４】本発明の一実施例に係る印刷紙巻取装置の断面図である。
【図５】本発明の一実施例に係る印刷機の印刷紙巻取装置の作動状態図である。
【図６】本発明の一実施例に係る印刷機の印刷紙巻取装置の作動状態図である。
【発明を実施するための形態】
【００１９】
以下、添付の各図面を参照して本発明に係る印刷機の印刷紙巻取装置の実施例を説明する。この過程において、図面に示した各線の太さや構成要素のサイズ等は、説明を明瞭にするため、および便宜上から、誇張して図示する場合がある。また、後述する用語は、本発明における機能を考慮して定義された用語であって、これは、作業者および運用者の意図または慣例によって変わり得る。そのため、これらの各用語は、本明細書等全般にわたる内容に基づき定義される。
【００２０】
図１は、本発明の一実施例に係る印刷紙巻取装置を示した印刷機の要部斜視図で、図２は、本発明の一実施例に係る印刷紙巻取装置の要部露出のためにカバーを分離した内部斜視図で、図３は、本発明の一実施例に係る印刷紙巻取装置の分解斜視図である。
【００２１】
図４は、本発明の一実施例に係る印刷紙巻取装置の断面図で、図５および図６は、本発明の一実施例に係る印刷機の印刷紙巻取装置の作動状態図である。
【００２２】
図１乃至図６に示すように、本発明の一実施例に係る印刷機の印刷紙巻取装置２０は、印刷機の外形を形成する本体１０に備えられる。
【００２３】
巻取装置２０は、給紙または排紙される印刷紙２を巻き取る装置である。
【００２４】
巻取装置２０は、巻取ローラ３０と、巻取モータ４０と、緩衝動力伝達部１００と、を有する。
【００２５】
巻取ローラ３０は、本体１０に回転可能に備えられ、給紙または排紙される印刷紙２を巻き取る。巻取ローラ３０の材質および直径は特に限定されない。
【００２６】
巻取モータ４０は、巻取ローラ３０の一端または両端に連結され、巻取ローラ３０を一方向に強制的に回転させる役割をする。この説明では、巻取モータ４０は、巻取ローラ３０の一端に連結されているものとする。巻取モータ４０としては、トルクモータ等、多様なものを用いることができる。
【００２７】
ここで、巻取モータ４０が作動すると同時には、巻取ローラ３０は回転を開始しない。また巻取ローラ３０が巻取モータ４０等の他の部品より比較的長いため、巻取モータ４０には、最初に巻取ローラ３０を回転させるために大きな負荷がかかり、このことから巻取モータ４０と巻取ローラ３０との連結部位が破損し得る。
【００２８】
これを防止するため、印刷紙巻取装置２０に緩衝動力伝達部１００が備えられる。緩衝動力伝達部１００は、巻取モータ４０の動力を巻取ローラ３０に伝達し、動力伝達時差による巻取モータ４０の負荷を緩和する役割をする。
【００２９】
緩衝動力伝達部１００は、ブラケット１１０および緩衝部材１２０を含む。
【００３０】
ブラケット１１０は、本体１０から延設されている。以下、図３を参照して説明する。図３では巻取ローラ３０の一方の端部と一方のブラケット１１０のみしか示されていないが、ブラケット１１０は巻取ローラ３０の両方の端部を回転可能に挿入して支持し、巻取ローラ３０を挟持する。このとき、巻取ローラ３０の端部にはベアリング部材１１２が備えられ、このベアリング部材１１２はブラケット１１０に定着され、巻取ローラ３０を回転可能に支持する。
【００３１】
緩衝部材１２０は、巻取ローラ３０と巻取モータ４０に連結され、動力伝達時差による負荷を緩和し、巻取モータ４０の動力を巻取ローラ３０に伝達する役割をする。
【００３２】
すなわち、緩衝部材１２０は、巻取ローラ３０と巻取モータ４０との間において、それぞれと連結することによって、巻取モータ４０が緩衝部材１２０を回転させ、緩衝部材１２０の回転によって、巻取ローラ３０が回転する。換言すると、巻取モータ４０の駆動力は、まず、緩衝部材１２０を回転させ、連動して巻取ローラ３０を回転させる。従って、巻取モータ４０が巻取ローラ３０を直接回転させる方式に比べて、初期負荷量を減少できるようになる。
【００３３】
緩衝部材１２０は、第１の連結部材１２２、第２の連結部材１２４、および緩衝弾性部材１２６を有する。
【００３４】
図４に示されるように、第１の連結部材１２２は、巻取モータ４０の作動時に回転するように巻取モータ４０に連結される。すなわち、第１の連結部材１２２は、巻取モータ４０の動力伝達軸４２と連結される。このとき、動力伝達軸４２は、多様な方式で第１の連結部材１２２と連結される。また、第１の連結部材１２２として、多様な形状および多様な材質のものを用いることができる。
【００３５】
第２の連結部材１２４は、巻取ローラ３０の端部に固定連結される。このとき、第２の連結部材１２４は、巻取ローラ３０の端部に多様な方式で固定連結される。また、第２の連結部材１２４として、多様な形状および多様な材質のものを用いることができる。
【００３６】
緩衝弾性部材１２６は、第１の連結部材１２２と第２の連結部材１２４とを連結し、動力伝達時差による巻取モータ４０の負荷を緩和する。図５を参照すると、巻取モータ４０の動力伝達軸４２のトルクが第１の連結部材１２２に、第１の連結部材１２２のトルクが緩衝弾性部材１２６に、緩衝弾性部材１２６のトルクが第２の連結部材１２４に、第２の連結部材１２４のトルクが巻取ローラ３０に、伝達される。すなわち、緩衝弾性部材１２６は、第１の連結部材１２２と第２の連結部材１２４の、それぞれの回転開始時点が互いに異なることにより発生する負荷を緩和する。
【００３７】
これを通じて、巻取モータ４０は、作動開始時点における負荷が減少し、耐久性が向上する。
【００３８】
緩衝弾性部材１２６は、第１の連結部材１２２と第２の連結部材１２４の互いに異なる回転開始時点による負荷を十分に緩和できるように、特に、トーションスプリングを用いてもよい。
【００３９】
緩衝動力伝達部１００は、筐体１３０をさらに有する。
【００４０】
筐体１３０は、巻取ローラ３０の軸方向に沿いブラケット１１０の外に延設され、巻取モータ４０を定設する。そして、筐体１３０は、内部に緩衝部材１２０を実装し、保護する。併せて、筐体１３０は、緩衝部材１２０が軸方向に伸びることを防止することによって、円周方向に弾性力を最大限発揮できるようにする役割をする。筐体１３０としては、多様な形状および多様な材質のものを用いることができる。
【００４１】
ブラケット１１０は、巻取モータ４０や緩衝部材１２０などを保護するために、図１から３にあるようなカバー２００を備えてもよい。カバー２００は、巻取モータ４０と緩衝部材１２０などを覆った状態でブラケット１１０に分離可能に結合される。勿論、カバー２００は、多様な形状および多様な材質のものに変形可能であり、多様な方式でブラケット１１０に分離可能に結合され得る。
【００４２】
本発明について、図面に示した実施例を参考にして説明したが、これは例示的なものに過ぎず、当該発明の分野は上述した実施例に限定されない。当該技術分野での通常の知識を有する者であれば本明細書から多様な変形および均等な他の実施例が可能であることを理解するはずである。従って、本発明の真の技術的保護範囲は、下記の特許請求の範囲によって定められるべきである。
【符号の説明】
【００４３】
２：印刷紙、１０：本体、２０：印刷紙巻取装置、３０：巻取ローラ、４０：巻取モータ、４２：動力伝達軸、１００：緩衝動力伝達部、１１０：ブラケット、１１２：ベアリング部材、１２０：緩衝部材、１２２：第１の連結部材、１２４：第２の連結部材、１２６：緩衝弾性部材、１３０：筐体、２００：カバー
【図１】
2016079033.tif 000003
【図２】
2016079033.tif 000004
【図３】
2016079033.tif 000005
【図４】
2016079033.tif 000006
【図５】
2016079033.tif 000007
【図６】
2016079033.tif 000008